(57)【特許請求の範囲】
【請求項１】
情報処理装置に外部記憶装置が装着されているか否かを検出する検出手段と、
前記情報処理装置における機能のうち前記外部記憶装置を利用する一の機能についての設定をするための表示画面から前記外部記憶装置を利用する機能を選択させる画面である外部装置機能一覧画面に表示を切り換える切換え手段と、
前記検出手段によって前記外部記憶装置が装着されていることが検出された場合、前記外部記憶装置を利用する一の機能についての設定をするための表示画面を表示させる表示制御手段と、
を備え、
前記表示制御手段は、前記外部記憶装置を利用する一の機能についての設定をするための表示画面を表示させている場合、前記切換え手段によって前記情報処理装置に前記外部装置機能一覧画面を表示させることを特徴とする表示制御装置。
【請求項２】
前記検出手段によって、前記外部記憶装置が装着されていることが検出された場合、当該外部記憶装置に記憶されているファイルのファイル種別を解析する解析手段と、
をさらに備え、
前記表示制御手段は、前記解析手段によって解析された結果に基づいて、前記情報処理装置における機能のうち前記外部記憶装置を利用する一の機能についての設定をするための表示画面を表示させることを特徴とする請求項１に記載の表示制御装置。
【請求項３】
前記解析手段は、前記解析手段によって解析されたファイル種別が複数である場合には、各ファイル種別のファイル数を集計し、
前記表示制御手段は、前記解析手段によって解析されたファイル種別が複数の場合には、前記解析手段によって集計された各ファイル種別のファイル数に応じて前記一の機能を特定し、特定した機能の前記表示画面を表示させ、前記ファイル種別が１つの場合には、当該ファイル種別に割り当てられている前記機能の前記表示画面を表示させることを特徴とする請求項２に記載の表示制御装置。
【請求項４】
前記外部記憶装置において、前記ファイルは時間を示す時間情報が対応付けられて記憶されており、
前記解析手段は、前記解析手段によって解析されたファイル種別が複数である場合には、各ファイル種別のファイル情報を抽出し、
前記表示制御手段は、前記解析手段によって解析されたファイル種別が複数の場合には、前記解析手段によって抽出された各ファイル種別の前記時間情報に応じて前記一の機能を特定し、特定した機能の前記表示画面を表示させ、前記ファイル種別が１つの場合には、当該ファイル種別に割り当てられている前記機能の前記表示画面を表示させることを特徴とする請求項２または３に記載の表示制御装置。
【請求項５】
画像読取装置の画像読取位置に記録媒体があるか否かを検出する記録媒体検出手段を備え、
前記表示制御手段は、前記外部記憶装置が装着されていることを前記検出手段が検出している場合において、前記記録媒体検出手段によって前記記録媒体が検出されたとき、前記一の機能の表示画面に代えて、前記記録媒体の画像を前記外部記憶装置に記憶させる機能の設定をするための表示画面を表示させることを特徴とする請求項１から３のいずれか一項に記載の表示制御装置。
【請求項６】
コンピュータを、
情報処理装置に外部記憶装置が装着されているか否かを検出する検出手段と、
前記情報処理装置における機能のうち前記外部記憶装置を利用する一の機能についての設定をするための表示画面から前記外部記憶装置を利用する機能を選択させる画面である外部装置機能一覧画面に表示を切り換える切換え手段と、
前記検出手段によって前記外部記憶装置が装着されていることが検出された場合、前記外部記憶装置を利用する一の機能についての設定をするための表示画面を表示する表示制御手段と、
前記表示制御手段は、前記外部記憶装置を利用する一の機能についての設定をするための表示画面を表示させている場合、前記切換え手段によって前記情報処理装置に前記外部装置機能一覧画面を表示させる
として機能させるためのプログラム。
【発明の詳細な説明】
【技術分野】
【０００１】
本発明は、表示制御装置及びプログラムに関する。
【背景技術】
【０００２】
メモリーカードスロットに装着されたメモリーカードに記憶されているファイルからユーザが処理したいファイルを選択すると、選択されたファイルのファイル種別に予め対応づけられた動作モードで選択されたファイルの処理を実行する画像処理装置が下記特許文献１に開示されている。画像処理装置には、ファイル種別毎の動作モードが予め登録された対応テーブルが記憶されている。
【先行技術文献】
【特許文献】
【０００３】
【特許文献１】特開２００５-７９６７３号公報
【発明の概要】
【発明が解決しようとする課題】
【０００４】
本発明は、画像形成装置に外部記憶装置が装着された場合に、当該外部記憶装置に関する機能の表示画面をユーザが選択する操作を軽減することを目的とする。
【課題を解決するための手段】
【０００５】
本発明の請求項１に係る表示制御装置は、情報処理装置に外部記憶装置が装着されているか否かを検出する検出手段と、前記情報処理装置における機能のうち前記外部記憶装置を利用する一の機能についての設定をするための表示画面から前記外部記憶装置を利用する機能を選択させる画面である外部装置機能一覧画面に表示を切り換える切換え手段と、前記検出手段によって前記外部記憶装置が装着されていることが検出された場合、前記外部記憶装置を利用する一の機能についての設定をするための表示画面を表示する表示制御手段と、を備え、前記表示制御手段は、前記外部記憶装置を利用する一の機能についての設定をするための表示画面を表示させている場合、前記切換え手段によって前記情報処理装置に前記外部装置機能一覧画面を表示させることを特徴とする。
【０００６】
本発明の請求項２に係る表示制御装置は、前記検出手段によって、前記外部記憶装置が装着されていることが検出された場合、当該外部記憶装置に記憶されているファイルのファイル種別を解析する解析手段をさらに備え、前記表示制御手段は、前記解析手段によって解析された結果に基づいて、前記情報処理装置における機能のうち前記外部記憶装置を利用する一の機能についての設定をするための表示画面を表示させることを特徴とする。
【０００７】
本発明の請求項３に係る表示制御装置は、前記解析手段は、前記解析手段によって解析されたファイル種別が複数である場合には、各ファイル種別のファイル数を集計し、前記表示制御手段は、前記解析手段によって解析されたファイル種別が複数の場合には、前記解析手段によって集計された各ファイル種別のファイル数に応じて前記一の機能を特定し、特定した機能の前記表示画面を表示させ、前記ファイル種別が１つの場合には、当該ファイル種別に割り当てられている前記機能の前記表示画面を表示させることを特徴とする。
【０００８】
本発明の請求項４に係る表示制御装置は、前記外部記憶装置において、前記ファイルは時間を示す時間情報が対応付けられて記憶されており、前記解析手段は、前記解析手段によって解析されたファイル種別が複数である場合には、各ファイル種別のファイル情報を抽出し、前記表示制御手段は、前記解析手段によって解析されたファイル種別が複数の場合には、前記解析手段によって抽出された各ファイル種別の前記時間情報に応じて前記一の機能を特定し、特定した機能の前記表示画面を表示させ、前記ファイル種別が１つの場合には、当該ファイル種別に割り当てられている前記機能の前記表示画面を表示させることを特徴とする。
【０００９】
本発明の請求項５に係る表示制御装置は、画像読取装置の画像読取位置に記録媒体があるか否かを検出する記録媒体検出手段を備え、前記表示制御手段は、前記外部記憶装置が装着されていることを前記検出手段が検出している場合において、前記記録媒体検出手段によって前記記録媒体が検出されたとき、前記一の機能の表示画面に代えて、前記記録媒体の画像を前記外部記憶装置に記憶させる機能の設定をするための表示画面を表示させることを特徴とする。
【００１０】
本発明の請求項６に係るプログラムは、コンピュータを、情報処理装置に外部記憶装置が装着されているか否かを検出する検出手段と、前記情報処理装置における機能のうち前記外部記憶装置を利用する一の機能についての設定をするための表示画面から前記外部記憶装置を利用する機能を選択させる画面である外部装置機能一覧画面に表示を切り換える切換え手段と、前記検出手段によって前記外部記憶装置が装着されていることが検出された場合、前記外部記憶装置を利用する一の機能についての設定をするための表示画面を表示させる表示手段と、を備え、前記表示制御手段は、前記外部記憶装置を利用する一の機能についての設定をするための表示画面を表示させている場合、前記切換え手段によって前記情報処理装置に前記外部装置機能一覧画面を表示させるように機能させることを特徴とする。
【発明の効果】
【００１１】
請求項１、６に係る発明によれば、外部装置を利用する一の機能についての設定をするための表示画面を表示手段に表示させている場合、切換え手段によって外部記憶装置を利用する機能を選択させる外部装置機能一覧画面を表示することができる。
【００１２】
請求項２に係る発明によれば、外部記憶装置が装着された場合、外部記憶装置内のファイル種別を解析することで外部装置を利用する一の機能についての設定をするための画面を表示し、切り換え手段によって外部記憶装置を利用する機能を選択する画面を表示することができる。
【００１３】
請求項３、４に係る発明によれば、複数のファイル種別が混在している場合、ユーザの外部記憶装置の利用状況に応じた一の機能の設定をするための表示画面を表示し、切り換え手段によって外部記憶装置を利用する機能を選択する画面を表示することができる。
【００１４】
請求項５に係る発明によれば、記録媒体の画像を外部記憶装置に記憶させるための表示画面から、外部記憶装置を利用する機能を選択させる画面に表示を切り替えることができる。
【図面の簡単な説明】
【００１５】
【図１】実施形態に係る画像形成装置の構成例を表わすブロック図である。
【図２】画像形成装置の制御部の機能構成を示す図である。
【図３】実施形態に係る表示画面の階層構造を説明する図である。
【図４】実施形態に係る画像形成装置の動作フローを示す図である。
【図５】実施形態における写真プリントモード画面の表示例を示す図である。
【図６】実施形態における文書プリントモード画面の表示例を示す図である。
【図７】実施形態におけるスキャンモード画面の表示例を示す図である。
【図８】変形例（１）に係る画像形成装置の動作フローを示す図である。
【図９】変形例（２）に係る画像形成装置の動作フローを示す図である。
【図１０】実施形態における外部メモリ機能一覧画面の表示例を示す図である。
【図１１】実施形態における機能一覧画面の表示例を示す図である。
【発明を実施するための形態】
【００１６】
以下、図面を参照して本発明の実施形態に係る表示制御装置について説明する。
＜実施形態＞
（構成）
図１は、本発明の実施形態に係る表示制御装置を含む画像形成装置の構成を示すブロック図である。図１に示すように、画像形成装置１０は、制御部１１、画像読取部１２、画像形成処理部１３、操作部１４、表示部１５、及びＩ／Ｆ１６を有する。
【００１７】
制御部１１は、ＣＰＵ（Central Processing Unit）１１ａとＲＯＭ（Read Only Memory）及びＲＡＭ（Random Access Memory）を含むメモリ１１ｂを有する。ＣＰＵ１１ａは、ＲＯＭに記憶されている制御プログラムを実行することにより、制御部１１と接続されている各部を制御する。制御プログラムの実行によって実現される制御部１１の機能の詳細については後述する。
【００１８】
画像読取部１２は、スキャナーと、用紙等の記録媒体が置かれるプラテン（画像読取位置）に記録媒体がセットされているか否かを検出するセンサを有する。画像読取部１２は、記録媒体がセットされているか否かを検知した信号を制御部１１に送出すると共に、制御部１１の制御の下、記録媒体の画像を光学的に読み取って画像データを生成する。画像形成処理部１３は、例えば、帯電、露光、現像、転写、定着などの工程を経て画像を形成する電子写真方式により、制御部１１の制御の下、指定された画像データの画像を用紙に形成して排出する。なお、画像形成処理部１３における記録方式は電子写真方式に限定されず、熱転写方式、インクジェット方式、ドットインパクト方式などであってもよい。
【００１９】
操作部１４は、印刷部数を指定する数字キーや、メニューボタン、実行ボタン、リセットボタン等の各種操作ボタンが設けられており、ユーザから受付けた操作を示す情報を制御部１１に送出する。表示部１５は、タッチパネルを有し、制御部１１の制御の下、画像形成装置１０における各種機能に関する表示画面を表示する。
【００２０】
Ｉ／Ｆ１６は、外部記憶装置２０が着脱されたときに外部記憶装置２０の装着状態を示す信号を制御部１１に送出し、装着された外部記憶装置２０とデータや制御信号をやりとりするインタフェースである。外部記憶装置２０は、例えばＵＳＢ（Universal Serial Bus）メモリやＳＤメモリカード等の着脱可能な記憶装置である。
【００２１】
次に、本発明に係る表示制御装置の機能を実現する制御部１１について説明する。図２は、制御部１１の機能の構成例を示すブロック図である。図２に示すように、制御部１１は、検出部１１１、解析部１１２、記録媒体検出部１１３及び表示制御部１１４を有する。検出部１１１は、本発明に係る検出手段の一例である。検出部１１１は、Ｉ／Ｆ１６からの信号を取得して外部記憶装置２０が装着されているか否かを検出する。
【００２２】
解析部１１２は、本発明に係る解析手段の一例である。解析部１１２は、Ｉ／Ｆ１６に外部記憶装置２０が装着されている状態を検出部１１１が検出した場合に、Ｉ／Ｆ１６を介して、外部記憶装置２０に記憶されている各ファイルのファイル種別を解析する。本実施形態では、ファイル種別は、例えば、Ｅｘｉｆ（Exchangeable image file format）形式のメタデータ（ヘッダ情報、撮影情報、サムネイル画像データ等）が書き込まれたＪＰＥＧ（Joint Photographic Experts Group）やＴＩＦＦ（Tagged Image File Format）形式のファイルのファイル種別を写真ファイルとし、Ｅｘｉｆ形式のメタデータが書き込まれていないＪＰＥＧやＴＩＦＦ形式のファイル、及びＷｏｒｄやＰＤＦ形式のファイルのファイル種別を文書ファイルとして区別する例を説明する。写真ファイルか否かの判断は、Ｅｘｉｆ形式のメタデータが書き込まれているか否かにより判断する。解析部１１２は、外部記憶装置２０に記憶されているファイルのファイル種別が、画像形成装置１０の印刷対象として予め定められたファイル種別であり、当該ファイル種別が複数ある場合には、各ファイル種別のファイル数を集計する。なお、本実施形態では、写真ファイル及び文書ファイルに該当する各ファイルは画像形成装置１０の印刷対象となるファイルである。
【００２３】
記録媒体検出部１１３は、本発明に係る記録媒体検出手段の一例である。記録媒体検出部１１３は、画像読取部１２からの信号を取得し、用紙等の記録媒体が画像読取部１２にセットされているか否かを検出する。表示制御部１１４は、本発明に係る表示制御手段の一例である。表示制御部１１４は、記録媒体検出部１１３の検出結果と、解析部１１２で解析されたファイル種別の数と各ファイル種別のファイル数とに基づいて、画像形成装置１０における一の機能を特定し、特定した一の機能が割当てられた表示画面を表示部１５に表示させる。
【００２４】
ここで、本実施形態における表示画面について説明する。図３は、画像形成装置１０における表示画面の階層構造を例示した図である。図３に示すように、本実施形態では、上位の階層の表示画面として機能一覧画面５０（第１の一覧画面）と外部メモリ機能一覧画面５１（第２の一覧画面）とが定義されている。機能一覧画面５０は、画像形成装置１０がユーザに提供可能な全機能の一覧を表示したメニュー画面である。外部メモリ機能一覧画面５１は、全機能のうちＩ／Ｆ１６に装着された外部記憶装置２０に関する機能を一覧表示したサブメニュー画面である。
【００２５】
また、下位の階層の表示画面としてスキャンモード画面５１１、文書プリントモード画面５１２、写真プリントモード画面５１３等が定義されている。スキャンモード画面５１１は、画像読取部１２において記録媒体の画像を読み取るスキャン機能に関する表示画面であり、画像読取部１２において画像の読み取りを開始する前に表示される画面である。文書プリントモード画面５１２は、文書ファイルを印刷する文書プリント機能に関する表示画面であり、外部記憶装置２０に記憶されている文書ファイルのデータの印刷を開始する前に表示される画面である。また、写真プリントモード画面５１３は、写真ファイルを印刷する写真プリント機能に関する表示画面であり、外部記憶装置２０に記憶されている写真ファイルの画像データの印刷を開始する前に表示される画面である。これらの各表示画面には、各機能において定められている各種パラメータのデフォルト値が表示される。
【００２６】
（動作例）
次に、本実施形態に係る画像形成装置１０の動作例について説明する。図４は、画像形成装置１０の動作フローを示す図である。制御部１１は、Ｉ／Ｆ１６に外部記憶装置２０が装着されたことを検出すると（ステップＳ１１：ＹＥＳ）、Ｉ／Ｆ１６を介して外部記憶装置２０に記憶されているファイルのファイル種別を解析する（ステップＳ１２）。制御部１１は、解析したファイル種別のうち印刷対象となるファイル種別が含まれている場合において（ステップＳ１３：ＹＥＳ）、写真ファイルのファイル種別だけが含まれているときは（ステップＳ１４：ＹＥＳ）、図５に示す写真プリントモード画面５１３を表示部１５に表示する（ステップＳ１５）。
【００２７】
図５に示すように、写真プリントモード画面５１３には、外部記憶装置２０においてＥｘｉｆ形式のメタデータが含まれている各ファイルのサムネイル画像（画像１，画像２，画像３）と日時情報（20100310  09:50等）とを含む画像５１３ａ、カラー、両面プリント、用紙等の画像を印刷する際に用いられるパラメータを示す設定ボタン５１３ｂ、画像５１３ａに表示されるデータをスクロールするスクロールボタン５１３ｃが表示される。なお、設定ボタン５１３ｂに表示されている“カラー”、”両面プリント”、”用紙”の設定値として“フルカラー”、“しない”、“自動”が各々設定されているが、各設定ボタン５１３ｂを押下することでこれらの設定値を変更できるように構成されている。また、画像５１３ａに表示されている各画像の表示領域をユーザが指で押下することで、写真プリント機能の実行対象となる画像を選択できるように構成されている。操作部１４に設けられている実行ボタンがユーザによって押下されると、表示されているパラメータの設定値で画像５１３ａに表示されている実行対象の画像が印刷される。
【００２８】
図４に戻り、説明を続ける。ステップＳ１４において、制御部１１は、写真ファイル以外のファイル種別が含まれている場合（ステップＳ１４：ＮＯ）、文書ファイルのファイル種別だけが含まれているときは（ステップＳ１６：ＹＥＳ）、図６に示す文書プリントモード画面５１２を表示部１５に表示する（ステップＳ１７）。図６に示すように、文書プリントモード画面５１２には、外部記憶装置２０に記憶されている各文書ファイルを示す番号、ファイル名、日時を含む画像５１２ａ、カラー、両面プリント、用紙等のパラメータを示す設定ボタン５１２ｂ、画像５１２ａに表示されるデータをスクロールするスクロールボタン５１２ｃが表示される。設定ボタン５１２ｂに表示されている“カラー”、“両面プリント”、“用紙”の設定値として“白黒”、“しない”、”自動”が各々設定されているが、各設定ボタン５１２ｂを押下することでこれらの設定値を変更できるように構成されている。また、画像５１２ａに表示されている各ファイルの表示領域をユーザが指でタッチすることで文書プリント機能の実行対象となるファイルを選択できるように構成されている。操作部１４に設けられている実行ボタンがユーザに押下されると、表示されているパラメータの設定値で画像５１２ａに表示されている実行対象のファイルが印刷される。
【００２９】
図４に戻り、説明を続ける。ステップＳ１６において、制御部１１は、文書ファイルのファイル種別だけが含まれていない場合、つまり、写真ファイルと文書ファイルとが混在している場合（ステップＳ１６：ＮＯ）、Ｉ／Ｆ１６を介して、外部記憶装置２０内の写真ファイルと文書ファイルの各ファイル数を集計する（ステップＳ１８）。
【００３０】
制御部１１は、ファイル数が最も多いファイル種別に対応する表示画面を表示部１５に表示する（ステップＳ１９）。即ち、制御部１１は、文書ファイルより写真ファイルのファイル数が多ければ、写真ファイルに対応する写真プリントモード画面５１３を表示画面として特定し、写真プリントモード画面５１３を表示する。また、写真ファイルより文書ファイルのファイル数が多ければ、文書ファイルに対応する文書プリントモード画面５１２を表示画面として特定し、文書プリントモード画面５１２を表示する。
【００３１】
制御部１１は、表示画面の表示中、又は、ステップＳ１１において外部記憶装置２０が検出されていない場合（ステップＳ１１：ＮＯ）若しくはステップＳ１３において印刷対象となるファイル種別が含まれていない場合（ステップＳ１３：ＮＯ）において、画像読取部１２に原稿がセットされたことを検出すると（ステップＳ２０：ＹＥＳ）、図７に示すスキャンモード画面５１１を表示部１５に表示する（ステップＳ２１）。図７に示すように、スキャンモード画面５１１には、画像読取部１２で読み取った画像データのファイルを外部記憶装置２０に保存することを示すメッセージの画像５１１ａと、カラー、画質、ファイル形式等のスキャン機能に用いられるパラメータを示す設定ボタン５１１ｂとが表示される。なお、設定ボタン５１１ｂに表示されている“カラー”、“画質”、“ファイル形式”の設定値として“白黒”、“写真”、“ＴＩＦＦ”が各々設定されているが、各設定ボタン５１１ｂを押下することでこれらの設定値を変更できるように構成されている。ユーザは、操作部１４に設けられている実行ボタンを押下することで、表示されているパラメータの設定値に従って、画像読取部１２にセットされた原稿の画像を読み取った画像データを生成して外部記憶装置２０に保存することができる。ステップＳ２０において、制御部１１は、画像読取部１２に原稿がセットされたことを検出しなければ（ステップＳ２０：ＮＯ）、処理を終了する。
【００３２】
上述した実施形態では、画像形成装置１０に装着された外部記憶装置２０に記憶されているファイル種別に応じた機能の表示画面が表示される。そのため、図３に示す機能一覧画面５０や外部メモリ一覧画面５１等のメニュー画面を一旦表示させてから実行する機能をユーザに選択させる場合と比べてユーザの操作数が少なくなる。また、複数のファイル種別が混在している場合にはファイル数に応じて表示画面を表示させるため、ユーザがよく利用するファイル種別に対応する機能の表示画面が表示される。
【００３３】
＜変形例＞
以下、本発明の変形例について説明する。
【００３４】
（１）上述した実施形態では、複数のファイル種別が混在する場合にファイル数に応じて表示画面を特定する例を説明したが、ファイルに含まれる時間情報に応じて表示画面を特定するようにしてもよい。例えば、各ファイルに、ファイルの作成日時、アクセス日時、更新日時等の時間情報が含まれている場合、いずれかの時間情報において、ファイルの日時が最新のファイルのファイル種別に割当てられている機能の表示画面を特定してもよい。この場合の動作フローを図８に示す。図８において、ステップＳ１８１及びステップＳ１９１以外の他のステップの処理は上述した図４と共通である。ステップＳ１６において、制御部１１は、写真ファイルと文書ファイルとが混在している場合（ステップＳ１６：ＮＯ）、Ｉ／Ｆ１６を介して、外部記憶装置２０内の各ファイルの時間情報を抽出し（ステップＳ１８１）、抽出した時間情報のうち最新の時間情報を有するファイルを特定し、特定したファイルのファイル種別に対応する表示画面を表示部１５に表示する。
【００３５】
（２）上述した実施形態において、スキャンモード画面５１１、文書プリントモード画面５１２、写真プリントモード画面５１３のいずれかの表示画面が表示されているときに、操作部１４を介して特定のユーザ操作がなされた場合、表示中の表示画面から機能一覧画面５０又は外部メモリ機能一覧画面５１に切り換えるようにしてもよい。
【００３６】
この場合の動作フローを図９に示す。図９は、上記いずれかの表示画面から機能一覧画面５０又は外部メモリ機能一覧画面５１に切り換える表示切換処理を示す動作フローである。制御部１１は、スキャンモード画面５１１、文書プリントモード画面５１２、写真プリントモード画面５１３のいずれかの表示画面が表示部１５に表示されているときに、操作部１４を介してメニューボタンの押下操作がなされておらず（ステップＳ３１：ＮＯ）、外部記憶装置２０がＩ／Ｆ１６に装着された状態で、リセットボタンの押下操作がなされたとき（ステップＳ３２：ＮＯ，Ｓ３３：ＹＥＳ）、表示中の表示画面に代えて図１０に示す外部メモリ機能一覧画面５１を表示部１５に表示する（ステップＳ３４）。図１０に示すように、外部メモリ機能一覧画面５１には、外部記憶装置２０に関する各機能を選択するための操作ボタン５１ａが一覧表示される。なお、“スキャナー（外部メモリ）”の操作ボタン５１ａは、画像読取部１２で原稿を読み取って外部記憶装置２０に画像データを記憶させる機能が割当てられており、この操作ボタンが押下された場合にはスキャンモード画面５１１が表示される。また、文書プリント及び写真プリントの各操作ボタン５１ａは、外部記憶装置２０に記憶されている文書ファイル及び写真ファイルを用紙に印刷する機能が各々割当てられており、これらの操作ボタンが押下された場合には文書プリントモード画面５１２又は写真プリントモード画面５１３が表示される。
【００３７】
図９に戻り、説明を続ける。ステップＳ３３において、制御部１１は、操作部１４を介してリセットボタンの押下操作がなされておらず（ステップＳ３３：ＮＯ）、実行ボタンの押下操作がなされたとき（ステップＳ３５：ＹＥＳ）、表示中の表示画面に代えて、図１１に示す機能一覧画面５０を表示部１５に表示する（ステップＳ３６）。図１１に示すように、機能一覧画面５０には、画像形成装置１０における全機能（コピー、写真プリント、スキャナー（本体）等）を選択するための操作ボタン５０ａが一覧表示される。制御部１１は、操作部１４を介して実行ボタンの押下操作を受付けなければ（ステップＳ３５：ＮＯ）、表示中の表示画面を表示した状態で、ステップＳ３３以下の処理を行う。
制御部１１は、操作部１４を介してメニューボタンの押下操作を受付けた場合（ステップＳ３１：ＹＥＳ）、又は外部記憶装置２０がＩ／Ｆ１６から取り外されたことを検出した場合には（ステップＳ３２：ＹＥＳ）、ステップＳ３６に移行して機能一覧画面５０を表示部１５に表示する。
【００３８】
（３）上述した実施形態では、外部記憶装置２０を装着するインタフェースが１つの場合について説明したが、複数のインタフェースが設けられていてもよい。この場合には、インタフェースの装着順序が後の外部記憶装置２０に記憶されているファイル種別に応じて表示画面を表示するように構成してもよい。
【００３９】
（４）上述した実施形態の写真プリントモード画面５１３において表示される設定ボタン５１３ｂの各パラメータの設定値を、Ｅｘｉｆ形式のメタデータが書き込まれたファイルに含まれる撮影情報に基づいて設定するように構成してもよい。例えば、カメラの機種に応じてシャープネス等の画質を予め調整した値を設定値として表示させてもよい。
【００４０】
（５）上述した実施形態では、ファイル種別が写真ファイルと文書ファイルの２種類の場合について説明したが、ファイル種別はこれらに限らない。例えば、Ｅｘｉｆ形式のメタデータが書き込まれていないＪＰＥＧやＴＩＦＦ形式のファイルのファイル種別を画像ファイル、Ｅｘｉｆ形式のメタデータが書き込まれているＪＰＥＧやＴＩＦＦ形式のファイルのファイル種別を写真ファイルとして区別し、各ファイル種別に応じたパラメータを予め設定した各々の表示画面を表示部１５に表示するように構成してもよい。
【００４１】
（６）上述した実施形態では、本発明に係る表示制御装置を含む画像形成装置１０の例を説明したが、画像形成装置１０と有線又は無線により接続されたＰＣ（Personal Computer）等の外部装置に制御部１１の機能を持たせて表示制御装置として機能させてもよい。
【００４２】
（７）実施形態におけるＣＰＵ１１ａによって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【符号の説明】
【００４３】
１０・・・画像形成装置、１１・・・制御部、１１ａ・・・ＣＰＵ、１１ｂ・・・メモリ、１２・・・画像読取部、１３・・・画像形成処理部、１４・・・操作部、１５・・・表示部、１６・・・Ｉ／Ｆ、２０・・・外部記憶装置、１１１・・・抽出部、１１２・・・解析部、１１３・・・記録媒体検出部、１１４・・・表示制御部
【図１】
0005736862.tif 000002
【図２】
0005736862.tif 000003
【図３】
0005736862.tif 000004
【図４】
0005736862.tif 000005
【図５】
0005736862.tif 000006
【図６】
0005736862.tif 000007
【図７】
0005736862.tif 000008
【図８】
0005736862.tif 000009
【図９】
0005736862.tif 000010
【図１０】
0005736862.tif 000011
【図１１】
0005736862.tif 000012